(57)【要約】  【課題】状況に応じて自動的にキー操作を制限することができる。  【解決手段】操作部１１２の操作が行われたかどうかを判断し（ステップＳ１０）、操作部１１２の操作が行われていない場合（ステップＳ１０でＮＯ）には、操作部１１２の操作が行われていない状態で一定時間以上経過しているかどうかを判断する（ステップＳ１２）。操作部１１２の操作が行われていない状態で一定時間以上経過していると判断された場合（ステップＳ１２でＹＥＳ）には、誤操作であると判断し、削除ショートカットキーを無効にする（ステップＳ１４）。その後、操作部１１２が操作されることにより、削除ショートカットキーを有効にする操作が行われたかどうかを判断し（ステップＳ１６）、削除ショートカットキーを有効にする操作が行われたと判断された場合（ステップＳ１６でＹＥＳ）には、削除ショートカットキーを有効にする。【選択図】  図２
2010098589.tif 000002
【特許請求の範囲】
【請求項１】
機器本体の電源が投入されているかどうかを検出する第１の検出手段と、
前記第１の検出手段により電源が投入されたことが検出されてから所定の時間以上キー入力が行われていないことを検出する第２の検出手段と、
前記第２の検出手段により所定の時間以上キー入力が行われていないことが検出された場合にショートカットキーを無効にするショートカットキー無効化手段と、
を備えたことを特徴とする携帯機器。
【請求項２】
機器本体の電源が投入されているかどうかを検出する第１の検出手段と、
前記第１の検出手段により電源が投入されたことが検出されてから所定の時間以上同一のキー入力が継続して行われていることを検出する第３の検出手段と、
前記第３の検出手段により所定の時間以上同一のキー入力が継続して行われていることが検出された場合にショートカットキーを無効にするショートカットキー無効化手段と、
を備えたことを特徴とする携帯機器。
【請求項３】
データを記憶する記憶手段を備え、
前記ショートカットキー無効化手段は、前記記憶手段に記憶されたデータを削除するためのショートカットキーを無効にすることを特徴とする請求項１又は２に記載の携帯機器。
【請求項４】
請求項１又は２に記載の携帯機器と、
被写体像を撮像する撮像手段と、
を備えたことを特徴とする撮像装置。
【請求項５】
前記撮像手段により撮像された画像を記憶する記憶手段を備え、
前記ショートカットキー無効化手段は、前記記憶手段に記憶された画像を削除するためのショートカットキーを無効にすることを特徴とする請求項４に記載の撮像装置。
【請求項６】
前記撮像手段は、被写体を示す画像信号を所定の周期で連続的に取得し、
前記撮像手段より連続的に取得された画像信号のレベルが所定の時間以上連続して所定のレベル以下であるか否かを判定する判定手段を備え、
前記ショートカットキー無効化手段は、前記撮像手段より連続的に取得された画像信号のレベルが所定の時間以上連続して所定のレベル以下であると前記判定手段により判断された場合に、前記ショートカットキーの操作を無効にすることを特徴とする請求項４又は５に記載の撮像装置。
【発明の詳細な説明】
【技術分野】
【０００１】
本発明は携帯機器及び撮像装置に係り、特に自動的にキー操作を無効にすることが可能な携帯機器及び撮像装置に関する。
【背景技術】
【０００２】
特許文献１には、ユーザ毎に異なるＩＤキーを割り当て、ＩＤキーに応じてカメラ機能の使用制限を設定可能なデジタルカメラが開示されている。
【０００３】
特許文献２には、使用者に対して認証を行い、認証結果に応じて操作上の制限を与えるデジタルカメラが開示されている。
【特許文献１】特開２００６−１８０１４０号公報
【特許文献２】特開２００７−１４２６５５号公報
【発明の開示】
【発明が解決しようとする課題】
【０００４】
しかしながら、特許文献１、２に記載の発明において、機能を制限するためには事前に設定が必要であり、状況に応じて自動的に設定を変更することはできない。
【０００５】
本発明はこのような事情に鑑みてなされたもので、状況に応じて自動的にキー操作を制限することができる携帯機器及び撮像装置を提供することを目的とする。
【課題を解決するための手段】
【０００６】
前記目的を達成するために、請求項１に記載の携帯機器は、機器本体の電源が投入されているかどうかを検出する第１の検出手段と、前記第１の検出手段により電源が投入されたことが検出されてから所定の時間以上キー入力が行われていないことを検出する第２の検出手段と、前記第２の検出手段により所定の時間以上キー入力が行われていないことが検出された場合にショートカットキーを無効にするショートカットキー無効化手段と、を備えたことを特徴とする。
【０００７】
請求項１に記載の携帯機器によれば、携帯機器の電源が投入されているかどうかを検出されてから所定の時間以上キー入力が行われていないことが検出されると、ショートカットキーを無効にする。これにより、誤電源ＯＮがされたときにショートカットキーが操作されることによる不具合を防止することができる。
【０００８】
請求項２に記載の携帯機器は、機器本体の電源が投入されているかどうかを検出する第１の検出手段と、前記第１の検出手段により電源が投入されたことが検出されてから所定の時間以上同一のキー入力が継続して行われていることを検出する第３の検出手段と、前記第３の検出手段により所定の時間以上同一のキー入力が継続して行われていることが検出された場合にショートカットキーを無効にするショートカットキー無効化手段と、を備えたことを特徴とする。
【０００９】
請求項２に記載の携帯機器によれば、携帯機器の電源が投入されたことが検出されてから所定の時間以上同一のキー入力が継続して行われていることが検出されると、ショートカットキーを無効にする。これにより、誤操作によりショートカットキーが操作されることによる不具合を防止することができる。
【００１０】
請求項３に記載の携帯機器は、請求項１又は２に記載の携帯機器において、データを記憶する記憶手段を備え、前記ショートカットキー無効化手段は、前記記憶手段に記憶されたデータを削除するためのショートカットキーを無効にすることを特徴とする。
【００１１】
請求項３に記載の携帯機器によれば、電源が投入されているかどうかを検出されてから所定の時間以上キー入力が行われていないことが検出されるか、電源が投入されたことが検出されてから所定の時間以上同一のキー入力が継続して行われていることが検出されるかすると、記憶手段に記憶されたデータを削除するためのショートカットキーを無効にする。これにより、誤電源ＯＮされた場合や、誤操作が行われた場合に、誤ってデータが削除されることを防止することができる。
【００１２】
請求項４に記載の撮像装置は、請求項１又は２に記載の携帯機器と、被写体像を撮像する撮像手段と、を備えたことを特徴とする。
【００１３】
請求項５に記載の撮像装置は、請求項４に記載の撮像装置において、前記撮像手段により撮像された画像を記憶する記憶手段を備え、前記ショートカットキー無効化手段は、前記記憶手段に記憶された画像を削除するためのショートカットキーを無効にすることを特徴とする。
【００１４】
請求項５に記載の撮像装置によれば、記憶手段には撮像手段により撮像された画像が記憶されており、電源が投入されているかどうかを検出されてから所定の時間以上キー入力が行われていないことが検出されるか、電源が投入されたことが検出されてから所定の時間以上同一のキー入力が継続して行われていることが検出されるかすると、記憶手段に記憶された画像を削除するためのショートカットキーを無効にする。これにより、誤電源ＯＮされた場合や、誤操作が行われた場合に、誤って撮影した画像が削除されることを防止することができる。
【００１５】
請求項６に記載の撮像装置は、請求項４又は５に記載の撮像装置において、前記撮像手段は、被写体を示す画像信号を所定の周期で連続的に取得し、前記撮像手段より連続的に取得された画像信号のレベルが所定の時間以上連続して所定のレベル以下であるか否かを判定する判定手段を備え、前記ショートカットキー無効化手段は、前記撮像手段より連続的に取得された画像信号のレベルが所定の時間以上連続して所定のレベル以下であると前記判定手段により判断された場合に、前記ショートカットキーの操作を無効にすることを特徴とする。
【００１６】
請求項６に記載の撮像装置によれば、撮像手段により所定の周期で連続的に取得された画像信号（例えばスルー画）のレベルが所定の時間以上連続して所定のレベル以下である場合には、ショートカットキーの操作を無効にする。これにより、誤電源ＯＮされたことの判定精度を上げることができる。
【発明の効果】
【００１７】
本発明によれば、状況に応じて自動的にキー操作を制限することができる。
【発明を実施するための最良の形態】
【００１８】
以下、添付図面に従って本発明が適用された撮像装置、画像保存方法及びプログラムを実施するための最良の形態について詳細に説明する。
【００１９】
＜第１の実施の形態＞
図１は第１の実施の形態のデジタルカメラ１内部の概略構成を示すブロック図である。
【００２０】
同図に示すように、デジタルカメラ１は、主として、ＣＰＵ１１０、操作部１１２、メモリカードインターフェース（ＩＦ）１１４、通信、オプションＩＦ１１６、タイミングジェネレータ（ＴＧ）１１８、レンズユニット１２０、シャッター・絞り１２２、撮像素子１２４、アナログ信号処理部（ＣＤＳ／ＡＭＰ）１２６、Ａ／Ｄ変換器１２８、デジタル信号処理部１３０、メモリ１３２、ＲＯＭ１３４、画像表示部１３６で構成される。
【００２１】
ＣＰＵ１１０は、操作部１１２から入力される操作信号に基づき所定の制御プログラムに従ってデジタルカメラ１の全体を統括制御する。
【００２２】
また、ＣＰＵ１１０は、ＡＦエリア（たとえば、画面中央部）内の信号を切り出し、ＡＦエリア内の絶対値データを積算する。また、ＣＰＵ１１０は、ＡＥ制御に必要な物理量として、１画面を複数のエリア（たとえば１６×１６）に分割し、分割したエリアごとにＲ、Ｇ、Ｂの画像信号の積算値を算出する。
【００２３】
また、ＣＰＵ１１０は、デジタル信号処理部１３０で生成された画像信号を画像表示部１３６に表示するための映像信号（たとえば、ＮＴＳＣ信号やＰＡＬ信号、ＳＣＡＭ信号）に変換して画像表示部１３６に出力する。
【００２４】
操作部１１２は、主として、レリーズボタン、電源／モードスイッチ、モードダイヤル、ズームボタン、十字ボタン、ＭＥＮＵ／ＯＫボタン、ＤＩＳＰボタン、ＢＡＣＫボタン等により構成される。十字ボタンの上、右、左、下の各方向のボタンには各種ショートカットキーが割り当てられる。再生モード時には、例えば、十字ボタンの上方向のボタンにメモリカードに記録された画像を削除するショートカットキー（以下、削除ショートカットキーという）が割り当てられる。
【００２５】
メモリカードＩＦ１１４は、それぞれメディアスロットに装填されたメモリカード（例えば、メモリカード、ＣＤ−Ｒ）に対してデータの読み／書きを制御する。本実施の形態では、メディアスロット及びメモリカードＩＦをそれぞれ２つずつ設けているが、１つでもかまわない。
【００２６】
レンズユニット１２０は、複数枚のレンズからなるフォーカスレンズであり、ＣＰＵ１１０から出力される駆動量データに基づいて各々のレンズが光軸方向に移動されることにより画角の調整を行う。
【００２７】
シャッター・絞り１２２は、撮像素子１２４に入射する光量を調整する。
【００２８】
撮像素子１２４は、たとえば、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置された受光面を有するカラーＣＣＤで構成される。レンズユニット１２０及びシャッター・絞り１２２を通過した被写体光は、各フォトダイオードによって受光され、入射光量に応じた量の信号電荷に変換される。ＴＧ１１８は、ＣＰＵ１１０からの指令に応じて、この撮像素子１２４を駆動するためのタイミング信号を出力する。
【００２９】
アナログ信号処理部１２６は、撮像素子１２４から出力された画像信号に対して、画素ごとのＲ、Ｇ、Ｂ信号をサンプリングホールド（相関二重サンプリング処理）するとともに、増幅してＡ／Ｄ変換器１２８に出力する。
【００３０】
Ａ／Ｄ変換器１２８は、アナログ信号処理部１２６から出力されたアナログのＲ、Ｇ、Ｂ信号をデジタルのＲ、Ｇ、Ｂ信号に変換して出力する。Ａ／Ｄ変換器１２８から出力されたデジタルのＲ、Ｇ、Ｂ信号はデジタル信号処理部１３０に送られる。
【００３１】
デジタル信号処理部１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００３２】
デジタル信号処理部１３０は、圧縮伸張処理部回路を含み、圧縮伸張処理部回路は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００３３】
メモリ１３２は、ＣＰＵ１１０の演算作業用領域として利用されるとともに、画像データ等の一時記憶領域として利用される。
【００３４】
ＲＯＭ１３４は、ＣＰＵ１１０が実行する制御プログラム及び制御に必要な各種データやデジタルカメラ１の動作に関する各種設定情報などが格納されている。
【００３５】
画像表示部１３６は、カラー表示が可能な液晶ディスプレイで構成されており、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００３６】
通信、オプションＩＦ１３８は、メモリ１３２に記憶された画像データなどをプリンタ、ＰＣ等の外部機器に出力する。
【００３７】
以上のように構成された本実施の形態のデジタルカメラ１の作用について説明する。まずは、通常動作（撮影処理、記録処理）について説明する。
【００３８】
電源／モードスイッチを撮影位置に合わせることで、デジタルカメラ１は撮影モードに設定され、撮影が可能になる。そして、撮影モードに設定されることにより、レンズユニット１２０が繰り出され、撮影スタンバイ状態になる。
【００３９】
この撮影モードの下、レンズユニット１２０を通過した被写体光は、撮像素子１２４の受光面に結像され、入射光量に応じた量の信号電荷に変換される。各フォトダイオードに蓄積された信号電荷は、ＴＧ１１８から与えられる駆動パルスに基づいて信号電荷に応じた電圧信号（画像信号）として順次読み出され、アナログ信号処理部（ＣＤＳ／ＡＭＰ）１２６に加えられる。
【００４０】
アナログ信号処理部１２６から出力されたアナログのＲ、Ｇ、Ｂ信号は、Ａ／Ｄ変換器１２８でデジタルのＲ、Ｇ、Ｂ信号に変換され、デジタル信号処理部１３０に加えられる。
【００４１】
デジタル信号処理部１３０で輝度／色差信号が生成され、ＣＰＵ１１０は輝度／色差信号を表示用の信号形式（たとえばＮＴＳＣ方式のカラー複合映像信号）に変換し、画像表示部１３６に出力する。これにより、撮像素子１２４で撮像された画像が画像表示部１３６に表示される。
【００４２】
撮像素子１２４から画像信号を定期的に取り込み、その画像信号から生成される輝度／色差信号によってメモリ１３２内の画像データを定期的に書き換え、画像表示部１３６に出力することにより、撮像素子１２４で撮像される画像がリアルタイムに表示される。ユーザは、この画像表示部１３６にリアルタイムに表示される画像（スルー画像）を見ることにより、撮影画角を確認することができる。
【００４３】
撮影はレリーズボタンの押下によって行なわれる。レリーズボタンが半押しされると、Ｓ１ＯＮ信号がＣＰＵ１１０に入力される。
【００４４】
まず、撮像素子１２４から取り込まれた画像信号がＣＰＵ１１０に入力される。ＣＰＵ１１０は、ＣＰＵ１１０で算出されたＡＦエリア内の絶対値データに基づいてレンズユニット１２０を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群を移動させる。
【００４５】
また、ＣＰＵ１１０は、算出されたＲ、Ｇ、Ｂの画像信号の積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子１２４の電子シャッターとシャッター・絞り１２２を制御して適正な露光量を得る。
【００４６】
ＣＰＵ１１０は、算出されたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００４７】
以上のように、レリーズボタンの半押しによって、ＡＥ処理、ＡＦ処理及びＡＷＢ処理が行なわれる。この間、ユーザは、必要に応じてズームボタン３８を操作し、レンズユニット１２０をズーミングさせて画角を調整し、ＣＰＵ１１０は、ＡＥ／ＡＦ処理及びＡＷＢ処理を継続して行う。
【００４８】
この後、レリーズボタンが全押しされると、ＣＰＵ１１０にＳ２ＯＮ信号が入力され、ＣＰＵ１１０は、撮影処理を開始する。すなわち、測光結果に基づき決定されたシャッター速度、絞り値で撮像素子１２４を露光する。
【００４９】
撮像素子１２４から出力された画像信号は、アナログ信号処理部１２６、Ａ／Ｄ変換器１２８、デジタル信号処理部１３０において輝度／色差信号に変換され、所定の圧縮フォーマット（たとえばＪＰＥＧ形式）に従って圧縮され、メモリ１３２に格納される。
【００５０】
ＣＰＵ１１０は、メモリ１３２に格納された所定の圧縮フォーマットのデータに時刻情報（年月日、時刻など）などの付加情報をタグに記録して所定の画像記録フォーマット（たとえばＥｘｉｆ形式）の画像ファイルを生成し、生成した画像ファイルをメモリ１３２に格納する。ＣＰＵ１１０は、メモリ１３２に格納された画像ファイルを、メモリカードＩＦ１１４を介してメモリカードに保存する。
【００５１】
本発明は、このようにしてメモリカードに記録された画像の削除ショートカットキーを無効にし、ユーザが意図しない画像の削除を防止する機能を備えている。以下、削除ショートカットキーを無効にする処理について説明する。
【００５２】
＜ショートカットキーを無効にする第１の実施の形態＞
ショートカットキーを無効にする第１の実施の形態は、電源が投入された状態で一定時間以上キー操作が無い場合に、削除ショートカットキーを無効にするものである。削除ショートカットキーを無効にする第１の実施の形態について、図２を用いて説明する。この処理は、電源投入後に行われる。
【００５３】
ＣＰＵ１１０は、操作部１１２の操作が行われたかどうかを判断する（ステップＳ１０）。操作部１１２の操作が行われた場合（ステップＳ１０でＹＥＳ）には、ＣＰＵ１１０は、ユーザにより通常の操作が行われていると判断し、操作されたキーに応じた処理（通常動作）を実行する（ステップＳ２０）。
【００５４】
操作部１１２の操作が行われていない場合（ステップＳ１０でＮＯ）には、ＣＰＵ１１０は、操作部１１２の操作が行われていない状態で一定時間以上経過しているかどうかを判断する（ステップＳ１２）。なお、ステップＳ１２における一定時間は、電源投入後に所定の時間以上操作部１１２の操作が行なわれなかった場合に自動的に電源を切るオートパワーオフ機能の設定時間より短い時間で設定される。初期的には、オートパワーオフは２分間操作が行われなかった場合に機能し、削除ショートカットキーの無効は１分間操作が行われなかった場合に機能するように設定されているが、いずれもユーザが自由に設定を変更することが可能である。
【００５５】
操作部１１２の操作が行われていない状態で一定時間以上経過していないと判断された場合（ステップＳ１２でＮＯ）には、ＣＰＵ１１０は、再度操作部１１２の操作が行われたかどうかを判断するステップ（ステップＳ１０）を行う。
【００５６】
操作部１１２の操作が行われていない状態で一定時間以上経過していると判断された場合（ステップＳ１２でＹＥＳ）には、ＣＰＵ１１０は、誤操作により電源がＯＮされたと判断し、削除ショートカットキーを無効にする（ステップＳ１４）。
【００５７】
その後、ＣＰＵ１１０は、操作部１１２が操作されることにより、削除ショートカットキーを有効にする操作が行われたかどうかを判断する（ステップＳ１６）。削除ショートカットキーを有効にする操作としては、例えば、レリーズボタンを半押しする、電源／モードスイッチを押下する、ＭＥＮＵ／ＯＫボタンを長押しするなどの操作が考えられる。
【００５８】
削除ショートカットキーを有効にする操作が行われていないと判断された場合（ステップＳ１６でＮＯ）には、ＣＰＵ１１０は、再度削除ショートカットキーを有効にする操作が行われたかどうかを判断するステップ（ステップＳ１６）を行う。
【００５９】
削除ショートカットキーを有効にする操作が行われたと判断された場合（ステップＳ１６でＹＥＳ）には、ＣＰＵ１１０は、削除ショートカットキーを有効にし（ステップＳ１８）、再度操作部１１２の操作が行われたかどうかを判断するステップ（ステップＳ１０）を行う。
【００６０】
本実施の形態によれば、ポケットの中などで誤って電源が投入された場合に、誤って画像が削除されることを防止することができる。
【００６１】
なお、本実施の形態では、ステップＳ１４において、画像の削除を行うショートカットキーを無効にしたが、削除ショートカットキーに限らず、全てのショートカットキーに適用することができる。これにより、誤ってデータが削除されたり、設定が変更されたりする不具合を防止することが可能となる。
【００６２】
また、本実施の形態では、削除ショートカットキーを無効にした（ステップＳ１４）後で、削除ショートカットキーを有効にする操作が行われたかどうかを判断した（ステップＳ１６）。しかしながら、削除ショートカットキーが無効になっていることをユーザが把握できていない場合も考えられる。そのため、例えば１分以上操作部１１２の操作が行われていない状態が継続した場合に削除ショートカットキーを無効にする場合には、１分より短い時間、例えば４０秒以上操作部１１２の操作が行われていない状態が継続した場合には、ＣＰＵ１１０は、削除ショートカットキーが無効になっていること、削除ショートカットキーを遊行するために行うべき操作内容などを記載した画面を画像表示部１３６に表示するようにしてもよい。なお、画面のデータは予めＲＯＭ１３４に記憶されており、ＣＰＵ１１０がＲＯＭ１３４からその画面の内容を読み出して画像表示部１３６に出力することにより、この画面の表示が可能となる。
【００６３】
また、本実施の形態では、操作部１１２の操作が行われた場合（ステップＳ１０でＹＥＳ）には、ＣＰＵ１１０は、通常の操作が行われていると判断し、操作されたキーに応じた処理（通常動作）を実行し（ステップＳ２０）、ショートカットキーを無効にする処理を終了したが、この場合に限らず、ＣＰＵ１１０は、電源がＯＦＦにされた場合にもショートカットキーを無効にする処理を終了する。
【００６４】
＜ショートカットキーを無効にする第２の実施の形態＞
ショートカットキーを無効にする第２の実施の形態は、電源が投入された状態で一定時間以上同じキーが押され続けた場合に、削除ショートカットキーを無効にするものである。ショートカットキーを無効にする第２の実施の形態について、図３を用いて説明する。なお、ショートカットキーを無効にする第１の実施の形態と同一の部分については、同一の符号を付し、説明を省略する。
【００６５】
ＣＰＵ１１０は、操作部１１２の操作が行われたかどうかを判断する（ステップＳ１０）。操作部１１２の操作が行われていない場合（ステップＳ１０でＮＯ）には、ＣＰＵ１１０は、再度操作部１１２の操作が行われたかどうかを判断するステップ（ステップＳ１０）を行う。
【００６６】
操作部１１２の操作が行われた場合（ステップＳ１０でＹＥＳ）には、ＣＰＵ１１０は、操作部１１２の操作が一定時間以上継続して行われているかどうか、すなわち操作部１１２を構成するボタンのうちの何れかのボタンが一定時間以上継続して押され続けているかどうかを判断する（ステップＳ２２）。
【００６７】
操作部１１２の操作が一定時間以上継続して行われていないと判断された場合（ステップＳ２２でＮＯ）は、ＣＰＵ１１０は、通常のキー操作が行われたと判断し、操作されたキーに応じた処理（通常動作）を実行する（ステップＳ２０）。
【００６８】
操作部１１２の操作が一定時間以上継続して行われたと判断された場合（ステップＳ２２でＹＥＳ）には、ＣＰＵ１１０は、誤操作であると判断し、削除ショートカットキーを無効にする（ステップＳ１４）。
【００６９】
その後、ＣＰＵ１１０は、操作部１１２が操作されることにより、削除ショートカットキーを有効にする操作が行われたかどうかを判断する（ステップＳ１６）。
【００７０】
削除ショートカットキーを有効にする操作が行われていないと判断された場合（ステップＳ１６でＮＯ）には、ＣＰＵ１１０は、再度削除ショートカットキーを有効にする操作が行われたかどうかを判断するステップ（ステップＳ１６）を行う。
【００７１】
削除ショートカットキーを有効にする操作が行われたと判断された場合（ステップＳ１６でＹＥＳ）には、ＣＰＵ１１０は、削除ショートカットキーを有効にし（ステップＳ１８）、再度操作部１１２の操作が行われたかどうかを判断するステップ（ステップＳ１０）を行う。
【００７２】
本実施の形態によれば、ポケットの中などで誤って電源が投入された場合に、誤操作により画像が削除されることを防止することができる。
【００７３】
また、本実施の形態によれば、操作部の操作が一定時間以上継続して行われていること、すなわち通常の操作ではありえない操作をトリガとすることで、通常動作時に削除ショートカットキー等が無効になるという弊害を防止することができる。
【００７４】
＜ショートカットキーを無効にする第３の実施の形態＞
ショートカットキーを無効にする第３の実施の形態は、電源が投入された状態で一定時間以上キー操作が無く、かつスルー画が一定時間以上真っ暗だった場合に、削除ショートカットキーを無効にするものである。ショートカットキーを無効にする第３の実施の形態について、図４を用いて説明する。なお、ショートカットキーを無効にする第１の実施の形態と同一の部分については、同一の符号を付し、説明を省略する。
【００７５】
ＣＰＵ１１０は、操作部１１２の操作が行われたかどうかを判断する（ステップＳ１０）。操作部１１２の操作が行われた場合（ステップＳ１０でＹＥＳ）には、ＣＰＵ１１０は、ユーザにより通常の操作が行われていると判断し、操作されたキーに応じた処理（通常動作）を実行する（ステップＳ２０）。
【００７６】
操作部１１２の操作が行われていない場合（ステップＳ１０でＮＯ）には、ＣＰＵ１１０は、操作部１１２の操作が行われていない状態で一定時間以上経過しているかどうかを判断する（ステップＳ１２）。
【００７７】
操作部１１２の操作が行われていない状態で一定時間以上経過していないと判断された場合（ステップＳ１２でＮＯ）には、ＣＰＵ１１０は、再度操作部１１２の操作が行われたかどうかを判断するステップ（ステップＳ１０）を行う。
【００７８】
操作部１１２の操作が行われていない状態で一定時間以上経過していると判断された場合（ステップＳ１２でＹＥＳ）には、一定時間以上スルー画が真っ暗であるかどうかを判断する（ステップＳ２４）。一定時間以上スルー画が真っ暗である場合とは、一定時間以上継続して撮像素子に光が入射していない場合、又は所定のレベル（黒と判断されるレベル）以下の光量が一定時間以上継続して撮像素子に入射した場合であり、例えば、ポケットやかばんの中などに入れられた状態でデジタルカメラ１の電源が誤って投入され、撮影モードで動作している場合が考えられる。
【００７９】
一定時間以上スルー画が真っ暗ではないと判断された場合（ステップＳ２４でＮＯ）には、ＣＰＵ１１０は、再度操作部１１２の操作が行われたかどうかを判断するステップ（ステップＳ１０）を行う。
【００８０】
一定時間以上スルー画が真っ暗であると判断された場合（ステップＳ２４でＹＥＳ）には、ＣＰＵ１１０は、誤って電源が投入された場合であると判断し、削除ショートカットキーを無効にする（ステップＳ１４）。
【００８１】
その後、ＣＰＵ１１０は、操作部１１２が操作されることにより、削除ショートカットキーを有効にする操作が行われたかどうかを判断する（ステップＳ１６）。
【００８２】
削除ショートカットキーを有効にする操作が行われていないと判断された場合（ステップＳ１６でＮＯ）には、ＣＰＵ１１０は、再度削除ショートカットキーを有効にする操作が行われたかどうかを判断するステップ（ステップＳ１６）を行う。
【００８３】
削除ショートカットキーを有効にする操作が行われたと判断された場合（ステップＳ１６でＹＥＳ）には、ＣＰＵ１１０は、削除ショートカットキーを有効にし（ステップＳ１８）、再度操作部１１２の操作が行われたかどうかを判断するステップ（ステップＳ１０）を行う。
【００８４】
本実施の形態によれば、ポケットの中などで誤って電源が投入された場合に、誤って画像が削除されることを防止することができる。
【００８５】
また、本実施の形態によれば、キー操作が行われていないことに加えてスルー画が真っ暗であることを確認することで、誤って電源が投入されたかどうかの判断の精度を上げることができる。そのため、誤ってショートカットキーを無効にするという弊害を防止することができる。
【００８６】
本発明の適用は、デジタルカメラに限定されるものではなく、カメラつき携帯電話機やビデオカメラ等の撮像装置や、携帯型ＰＣなどの各種携帯型の電子機器にも適用することができる。なお、本発明を各種携帯型の電子機器に適用する場合には、画像を削除するためのショートカットキーに換えて、文書ファイルなどのデータを削除するためのショートカットキーを無効にするのが最も望ましい形態であるが、データを削除するためのショートカットキーに限定されないことは言うまでもない。
【００８７】
また、本発明の適用は、デジタルカメラなどの装置に限らず、装置に適用するプログラムとして提供することもできる。
【図面の簡単な説明】
【００８８】
【図１】デジタルカメラ１の電気的構成を示すブロック図である。
【図２】ショートカットキーを無効にする第１の実施の形態の処理の流れを示すフローチャートである。
【図３】ショートカットキーを無効にする第２の実施の形態の処理の流れを示すフローチャートである。
【図４】ショートカットキーを無効にする第３の実施の形態の処理の流れを示すフローチャートである。
【符号の説明】
【００８９】
１：デジタルカメラ、１１０：ＣＰＵ、１１１：シャッタースイッチ、１１２：操作部、１１４：メモリカードＩＦ、１１６：通信、オプションＩＦ、１１８：ＴＧ、１２０：レンズユニット、１２２：シャッター・絞り、１２４：撮像デバイス、１２６：アナログ信号処理部（ＣＤＳ／ＡＭＰ）、１２８：Ａ／Ｄ変換器、１３０：デジタル信号処理部、１３２：メモリ、１３４：ＲＯＭ、１３６：画像表示部
【図１】
2010098589.tif 000003
【図２】
2010098589.tif 000004
【図３】
2010098589.tif 000005
【図４】
2010098589.tif 000006